(57)【要約】【課題】手元資料をプレゼンタ（講演者）のみが参照できる表示方向（視野方向）に表示させることで、観客に対しては情報過多にならない状態での表示が可能で、且つプレゼンタにとって手元資料の参照を容易にすることが可能な情報処理装置を提供する。【解決手段】情報処理装置は、複数の表示方向に異なる画像を同時に表示可能なマルチプルビュー方向表示装置を備える。情報処理装置は、マルチプルビュー方向表示装置に対する利用者（講演者）の位置を検知する検知手段と、特定の画像を、検知手段で検知した利用者の位置に合わせた特定の表示方向（例えばＣ画面で見える視野方向）に、マルチプルビュー方向表示装置で表示する制御を行う表示制御手段とを備える。【選択図】図２
2009169352.tif 000002
【特許請求の範囲】
【請求項１】
複数の表示方向に異なる画像を同時に表示可能なマルチプルビュー方向表示装置を備えた情報処理装置において、該マルチプルビュー方向表示装置に対する利用者の位置を検知する検知手段と、特定の画像を、前記検知手段で検知した利用者の位置に合わせた特定の表示方向に、前記マルチプルビュー方向表示装置で表示する制御を行う表示制御手段とを備えることを特徴とする情報処理装置。
【請求項２】
請求項１に記載の情報処理装置において、前記検知手段は、前記マルチプルビュー方向表示装置の所定の位置にそれぞれ配設された、非接触カードと通信を行う複数の通信手段でなることを特徴とする情報処理装置。
【請求項３】
請求項２に記載の情報処理装置において、前記複数の通信手段のいずれかによって前記非接触カードから識別情報を読み取り、該読み取られた識別情報を認証する認証手段を備え、前記表示制御手段は、前記認証手段で認証が成功した場合のみ、前記特定の画像を表示する制御を行うことを特徴とする情報処理装置。
【請求項４】
請求項２又は３に記載の情報処理装置において、前記表示制御手段は、前記非接触カードに記憶されているファイル又はファイルの格納場所を示す情報を前記複数の通信手段のいずれかによって読み取り、該読み取られたファイルの画像又は該読み取られた格納場所を示す情報から得たファイルの画像を、前記特定の画像として表示する制御を行うことを特徴とする情報処理装置。
【請求項５】
請求項１〜４のいずれか１項に記載の情報処理装置において、前記検知手段は、前記利用者の位置として、表示画面平面の横方向及び縦方向の座標を検知し、前記表示制御手段は、前記検知された横方向及び縦方向の座標に基づいて前記特定の表示位置を決定することを特徴とする情報処理装置。
【請求項６】
請求項１に記載の情報処理装置において、前記検知手段は、前記マルチプルビュー方向表示装置の横方向に複数配設された焦電センサからなることを特徴とする情報処理装置。
【請求項７】
請求項１に記載の情報処理装置において、前記検知手段は、当該情報処理装置を設置する床面に配設された複数のシートスイッチからなることを特徴とする情報処理装置。
【請求項８】
請求項１〜７のいずれか１項に記載の情報処理装置において、前記表示制御手段は、前記検知手段で検知された利用者の位置が表示画面の左右いずれの領域に位置するかに応じて、前記特定の表示方向を選択することを特徴とする情報処理装置。
【請求項９】
請求項１〜８のいずれか１項に記載の情報処理装置において、前記表示制御手段は、特定の画像を、特定の表示位置に前記マルチプルビュー方向表示装置で表示する制御を行い、且つ、前記特定の表示位置を補正する表示位置補正手段を有することを特徴とする情報処理装置。
【請求項１０】
請求項１〜８のいずれか１項に記載の情報処理装置において、前記表示制御手段は、特定の画像を、前記検知手段で検知した利用者の位置に合わせた特定の表示方向及び特定の表示位置に、前記マルチプルビュー方向表示装置で表示する制御を行うことを特徴とする情報処理装置。
【請求項１１】
請求項１０に記載の情報処理装置において、前記表示制御手段は、前記特定の表示位置を補正する表示位置補正手段を有することを特徴とする情報処理装置。
【発明の詳細な説明】
【技術分野】
【０００１】
本発明は、複数の表示方向に異なる画像を同時に表示するマルチプルビュー方向表示装置を備えた情報処理装置に関する。
【背景技術】
【０００２】
従来から、大画面のＬＣＤ（Liquid Crystal Display）等の画像表示装置を備えた情報処理装置を用い、資料となるファイルを開いてその画像を表示しながら、プレゼンテーションが行われることがある。このとき、プレゼンタ（講演者）は、観客に対しても表示した資料の画像と同時に手元のメモ（手元資料）で内容を補いながら、プレゼンテーションを進めることがある。
【０００３】
一方、特許文献１には、複数の表示方向に異なる画像を同時に表示するマルチプルビュー方向表示装置が開示されている。
【特許文献１】特開２００５−７８０７６公報
【発明の開示】
【発明が解決しようとする課題】
【０００４】
一般に、プレゼンテーション中に手元資料を速やかに参照することは難しく、さらに、手元資料まで全て表示画面に表示してしまうと、観客にできるだけ開示したくない内容を含まざるを得なくなることがあるといった問題や、表示内容が多くなり過ぎて雑然とした画面となってしまい、分かり難い表示となってしまうといった問題がある。また、特許文献１には、このような問題に対する解決方法は開示されていない。
【０００５】
本発明は、上述のごとき実状に鑑みてなされたものであり、手元資料をプレゼンタのみが参照できる表示方向（視野方向）に表示させることで、観客に対しては情報過多にならない状態での表示が可能で、且つプレゼンタにとって手元資料の参照を容易にすることが可能な情報処理装置を提供することを、その目的とする。
【課題を解決するための手段】
【０００６】
上述のごとき課題を解決するために、本発明の第１の技術手段は、複数の表示方向に異なる画像を同時に表示可能なマルチプルビュー方向表示装置を備えた情報処理装置において、該マルチプルビュー方向表示装置に対する利用者の位置を検知する検知手段と、特定の画像を、前記検知手段で検知した利用者の位置に合わせた特定の表示方向に、前記マルチプルビュー方向表示装置で表示する制御を行う表示制御手段とを備えることを特徴としたものである。
【０００７】
第２の技術手段は、第１の技術手段において、前記検知手段は、前記マルチプルビュー方向表示装置の所定の位置にそれぞれ配設された、非接触カードと通信を行う複数の通信手段でなることを特徴としたものである。
【０００８】
第３の技術手段は、第２の技術手段において、前記複数の通信手段のいずれかによって前記非接触カードから識別情報を読み取り、該読み取られた識別情報を認証する認証手段を備え、前記表示制御手段は、前記認証手段で認証が成功した場合のみ、前記特定の画像を表示する制御を行うことを特徴としたものである。
【０００９】
第４の技術手段は、第２又は第３の技術手段において、前記表示制御手段は、前記非接触カードに記憶されているファイル又はファイルの格納場所を示す情報を前記複数の通信手段のいずれかによって読み取り、該読み取られたファイルの画像又は該読み取られた格納場所を示す情報から得たファイルの画像を、前記特定の画像として表示する制御を行うことを特徴としたものである。
【００１０】
第５の技術手段は、第１〜第４のいずれかの技術手段において、前記検知手段は、前記利用者の位置として、表示画面平面の横方向及び縦方向の座標を検知し、前記表示制御手段は、前記検知された横方向及び縦方向の座標に基づいて前記特定の表示位置を決定することを特徴としたものである。
【００１１】
第６の技術手段は、第１の技術手段において、前記検知手段は、前記マルチプルビュー方向表示装置の横方向に複数配設された焦電センサからなることを特徴としたものである。
【００１２】
第７の技術手段は、第１の技術手段において、前記検知手段は、当該情報処理装置を設置する床面に配設された複数のシートスイッチからなることを特徴としたものである。
【００１３】
第８の技術手段は、第１〜第７のいずれかの技術手段において、前記表示制御手段は、前記検知手段で検知された利用者の位置が表示画面の左右いずれの領域に位置するかに応じて、前記特定の表示方向を選択することを特徴としたものである。
【００１４】
第９の技術手段は、第１〜第８のいずれかの技術手段において、前記表示制御手段は、特定の画像を、特定の表示位置に前記マルチプルビュー方向表示装置で表示する制御を行い、且つ、前記特定の表示位置を補正する表示位置補正手段を有することを特徴としたものである。
【００１５】
第１０の技術手段は、第１〜第８のいずれかの技術手段において、前記表示制御手段は、特定の画像を、前記検知手段で検知した利用者の位置に合わせた特定の表示方向及び特定の表示位置に、前記マルチプルビュー方向表示装置で表示する制御を行うことを特徴としたものである。
【００１６】
第１１の技術手段は、第１０の技術手段において、前記表示制御手段は、前記特定の表示位置を補正する表示位置補正手段を有することを特徴としたものである。
【発明の効果】
【００１７】
本発明によれば、情報処理装置において、手元資料をプレゼンタのみが参照できる表示方向に表示させることで、観客に対しては情報過多にならない状態での表示が可能で、且つプレゼンタにとって手元資料の参照を容易にすることが可能となる。
【発明を実施するための最良の形態】
【００１８】
図１は、本発明の一実施形態に係る情報処理装置の一例を示す外観図である。図１で例示する情報処理装置は、表示装置１０と、表示装置１０に接続されたＰＣ等の制御装置（図示せず）とを備えた情報表示装置であり、主として会議などでの利用に好適な情報表示システム（以下、単に「表示システム」という）である。
【００１９】
ここで例示する表示装置１０は、その画像データを表示する薄型且つ大型のＬＣＤパネル等の表示手段１１に加え、表示手段１１の画面の前面側に設けられ、表示手段１１で表示された情報に対する操作を行うためのタッチパネル１２を備えている。タッチパネル１２は、タッチペンや指などによりタッチされた位置の座標を入力する装置であり、制御装置にその操作信号（座標を示す信号等）を送るよう構成しておくとよい。タッチパネル１２は、ＬＥＤ（Light Emitting Diode）アレイとフォトトランジスタアレイを表示手段１１のフレームに設けておき、遮られた光を検出するなど、様々な構成及び座標検出方式が採用できる。なお、本発明に係る情報処理装置はこの表示手段１１に相当する表示装置を備えていればよく、タッチパネル１２は具備しなくてもよい。
【００２０】
制御装置は、表示対象となる画像データを表示手段１１に送り、表示手段１１に表示させる制御を行う表示制御手段を有する。また、この制御装置は、表示装置１０に内蔵しても外付けしてもよい。
【００２１】
また、この表示システムは、図１で例示するように、表示装置１０及び制御装置の他に、表示装置１０を支持するための台座（スタンド）２０を備えている。台座２０は、左右一対の脚部２１と、基台２２と、基台キャスター（移動用車輪）２３とを備えている。一対の脚部２１は、基台２２と表示装置１０とを連結するために設けられたものである。基台キャスター２３は、表示装置１０を含む表示システム全体の移動を容易にするために、基台２２の底部に設けられたものである。なお、台座２０はこの表示システムに設けなくてもよい。
【００２２】
本発明で搭載する表示手段１１は、複数の表示方向に異なる画像を同時に表示することが可能なマルチプルビュー方向表示装置である。そして、本発明の主たる特徴の一つとして、この表示システムは、表示手段（マルチプルビュー方向表示装置）１１に対する利用者の位置を検知する検知手段を備え、表示制御手段はこの検知手段に基づく表示制御を行う。
【００２３】
より具体的には、表示制御手段は、特定の画像を、検知手段で検知した利用者（講演者）の位置に合わせた特定の表示方向（特定の視野方向）に、表示手段（マルチプルビュー方向表示装置）１１で表示する制御を行う。また、表示制御手段は、特定の表示方向だけでなく、検知手段で検知した講演者の位置に合わせた特定の表示位置に、特定の画像を表示する制御を行うことが好ましい。
【００２４】
以下、図２〜図７を参照して、この検知手段が、非接触カードと通信を行う複数の通信手段（送受信手段）でなる例を挙げる。これら複数の通信手段は、マルチプルビュー方向表示装置の所定の位置にそれぞれ配設しておく。配設する数や位置は基本的に特定の画像を表示する表示方向及び表示位置が判定できればよく、以下に示す例に限ったものではない。
【００２５】
図２は、図１の表示システムの利用例を示す図で、表示システムを使用しているシーンを上から見た状態を示す図である。また、図３及び図４は、図２の利用例において表示される複数の表示方向の画面例を示す図で、図３は図２のＢ画面を示す図、図４は図２のＣ画面の例を示す図である。
【００２６】
図２に示すように、マルチプルビュー方向表示装置１１として３方向に異なる画像を表示可能なトリプルビュー方向表示装置を適用した場合に、画面の右側に講演者（プレゼンタ）が居て、画面の正面にその観客が居るシーンを想定する。さらに、マルチプルビュー方向表示装置１１において、図３の「地域の問題を考える集い」の情報を示すプレゼンテーション画像（発表画像）４０を表示し、講演者がプレゼンテーションするシーンを想定して、説明する。図３では発表画像４０中にポインタ画像４１を表示した例を示しているが、このポインタ画像はタッチパネル１２により移動操作可能としておいてもよい。また、発表画像４０の元のファイルを適切に作成しておけば、プレゼンテーションの進行度合いに合わせて、プレゼンテーション中にポインタ画像４１を自動的に移動させるように表示させることもできる。
【００２７】
このようなシーンでは観客に発表画像４０を視認させる。そのために、表示制御手段は、発表画像４０の元のファイルを読み出し、発表画像４０をマルチプルビュー方向表示装置１１の正面方向（図２のＢ画面として見える視野方向を参照）に表示するよう制御する。このファイルは、講演者がタッチパネル１２や他の操作部などで指定し、制御装置の記憶部などから読み出せばよい。
【００２８】
そして、図２の例の場合、講演者が非接触カード６０を複数の通信手段の通信範囲内のいずれかにもっていくことで、配設されている複数の通信手段のうち画面の右側に位置する通信手段によって、講演者がもつ非接触カード６０が検知される。図３及び図４の例では、講演者の胸ポケットに非接触カード６０が入れられており、非接触カード６０の検出位置（アンテナ３０の位置）を講演者の位置として検出できる。このようにして、この表示システムが、講演者の位置が画面の右側であることを検知できる。
【００２９】
この検知に基づき、表示制御手段は、特定の画像を、検知した講演者の位置（表示画面の右側の領域の位置）に合わせた右方向（図２のＣ画面として見える視野方向を参照）に、マルチプルビュー方向表示装置１１で表示する制御を行う。より具体的には、表示制御手段は、特定の画像（図４の例では手元資料画像４２）の元となるファイルを読み出し、発表画像４０をマルチプルビュー方向表示装置１１の右方向（図２のＣ画面として見える視野方向を参照）に表示するよう制御する。このファイルは、講演者がタッチパネル１２や他の操作部などで指定すればよい。
【００３０】
ここで、検知した講演者の位置と特定の表示方向とは予め対応付けて制御装置の記憶部に記憶しておき、それを読み出せばよい。特に、この例でその結果を示したように、表示制御手段は、検知された講演者の位置が表示画面の左右いずれの領域に位置するかに応じて、左方向／右方向の中から特定の表示方向を選択することが好ましい。勿論、正面方向も選択対象の一つとして含めてもよいが、その場合には、縦方向に３分割した３領域のいずれの領域に位置するかに応じて、特定の表示方向を選択すればよい。このような選択対象を記憶させておいた場合でも、講演者と観客との位置関係に基づき、その表示装置の設置位置と設置方向（設置する際に画面の正面方向をどちらに向けるかを示す方向）とを調節すれば有益になる。
【００３１】
また、講演者自身も発表画像４０自体を視認できないと困るので、表示制御手段は、発表画像４０の元のファイルを読み出し、発表画像４０をマルチプルビュー方向表示装置１１の右方向（図２のＣ画面として見える視野方向を参照）に表示するよう制御し、その後、上述の手元資料画像４２に対する表示制御を行えばよい。これにより、図４で例示したように、手元資料画像４２が上書きされた発表画像４０が講演者に視認できるように表示できる。
【００３２】
このようにして、講演者は表示された手元資料画像４２を見て補足説明しながら、発表画像４０に記載された内容のプレゼンテーションが可能となる。マルチプルビュー方向表示装置１１は異なる方向にＡ画面、Ｂ画面、Ｃ画面の３画面が表示され、Ｃ画面を見る位置に講演者、Ｂ画面を見る位置に観客が位置することになる。なお、Ａ画面に表示する画像について説明していないが、この例では特にどのようなものでもよい。例えば、Ａ画面の画像としてＢ画面の画像と同じものを表示しておけば、観客が移動してマルチプルビュー方向表示装置１１の手前に来て質問などした場合にも、その観客が移動前と同じ画像を視認することができる。
【００３３】
また、特定の画像の表示位置は任意に予め設定された位置として表示制御すればよい。特定の画像の表示位置を検知した講演者の位置に合わせる場合には、非接触カード６０の検出位置、すなわち通信手段をより多く設けておき、またその検出位置に表示座標を対応付けて記憶部に記憶させておき、その表示座標を特定の画像の中心や始点などに合わせればよい。これにより、講演者は、自身（非接触カード６０）の近傍に手元資料画像４２を表示させることができ、手元資料を容易に参照でき、プレゼンテーションを行い易くなる。
【００３４】
また、表示位置を講演者の位置に合わせて表示制御する形態であっても、或いは任意に予め設定された位置に表示制御する形態であっても、表示後の操作による移動又は自動的な移動が可能なようにしておくことが好ましい。操作による移動は制御装置における操作部又はタッチパネル１２で可能となる。自動的な移動を可能にするためには、表示制御手段は、特定の表示位置を補正する表示位置補正手段を有するよう構成しておく。自動的に移動を行う際にも、発表画像４０から白画像を検出し、その白画像が連続する領域であって手元資料画像４２が収まる領域を発表画像４０の中から検出して、手元資料画像４２をその領域に設定し（その領域に移動するように）表示位置を補正すればよい。その際、表示位置も講演者の位置に合わせて表示制御する形態においては、その位置により近い領域を検出すればよい。他の例として、発表画像４０の背景色（白である場合もあり）を検出し、その背景色が連続する領域であって手元資料画像４２が収まる領域を発表画像４０の中から検出して、その領域に手元資料画像４２を移動するように表示位置を補正すればよい。
【００３５】
以上の例では、図４において手元資料画像４２を発表画像４０と別々の画像として表示制御して表示させた例を示した。その代替制御として、図４のごとき手元資料画像４２が予め組み込まれた発表画像４０のファイルを読み出して右方向に表示するよう制御し、且つ、図３のごとき手元資料画像４２が含まれない発表画像４０のファイルを読み出して正面方向に表示するよう制御してもよい。
【００３６】
図５は、図１の表示システムの一構成例を示すブロック図で、図１において台座２０及びタッチパネル１２を除いた部分の構成例であって、検知手段として複数の通信手段を設けた場合の構成例を示している。
【００３７】
図５で例示する表示システムでは、上述の制御装置が、メモリ１３、ＬＣＤコントローラ１４、ＣＰＵ（Central Processing Unit）１５、ハードディスクドライブ（ＨＤＤ）１６、ＮＩＣ（Network Interface Card）１７、アンテナ群３０、セレクタ３１、及び通信ユニット３２により構成されるものとして説明する。なお、タッチパネル１２はＣＰＵ１５に接続しておくことで、ＣＰＵ１５でその操作信号（座標を示す信号等）が得られる。また、キーボード、マウスなどの操作部（操作装置）を具備し、ＣＰＵ１５に操作信号を伝えるよう構成しておき、この操作部でユーザ操作可能としてもよい。
【００３８】
ＣＰＵ１５は、表示装置１０の全体の制御を行う。メモリ１３、ＨＤＤ１６は、オペレーションシステム（ＯＳ）を含むプログラムと、そのプログラムで読み出し可能なデータとを記憶する。メモリ１３は、例えばＯＳを記憶したＲＯＭ（Read Only Memory）とプログラムの実行領域（作業領域）としてのＲＡＭ（Random Access Memory）とで構成するとよく、ＨＤＤ１６はそれ以外のプログラムやデータを格納しておくとよい。そして、本発明は、表示制御手段における検知位置に合わせた表示方向（及び表示位置）の決定を行う手段として、ＣＰＵ１５を機能させるための表示方向（及び表示位置）決定プログラムを、上述のプログラムの一部としてメモリ１３又はＨＤＤ１６に組み込むことで、実装できる。また、ＮＩＣ１７は、図示しないファイルサーバ、クライアントＰＣ、ＷＥＢサーバなどとネットワーク接続するためのネットワーク通信手段の一例である。
【００３９】
以下、マルチプルビュー方向表示装置１１としてＬＣＤパネルを挙げて説明する。但し、マルチプルビュー方向表示装置１１としては、ＬＣＤの他に、プラズマディスプレイ（Plasma Display Panel）、電界放出ディスプレイ（Field Emission Display）、表面伝導型電子放出素子ディスプレイ（Surface-conduction Electron-emitter Display）、有機ＥＬディスプレイ（Organic Electroluminescence Display）等の表示手段を適用することができる。
【００４０】
ＬＣＤパネル１１は、ＬＣＤコントローラ１４で制御され、画像表示を行う。ＬＣＤコントローラ１４は、ＣＰＵ１５に制御されてＬＣＤパネル１１の表示を制御し、ＬＣＤパネル１１はその制御に基づき画像表示を行う。このように、上述の表示制御手段は、主としてＣＰＵ１５及びＬＣＤコントローラ１４で例示できる。上述した発表画像４０や手元資料画像４２などは、例えばＨＤＤ１６等に格納しておいたものをＣＰＵ１５で読み出せばよい。
【００４１】
アンテナ群３０、セレクタ３１、通信ユニット３２、及びＣＰＵ１５は、非接触カード６０を用いた講演者位置検知が可能なよう組み込まれた検知手段の一例である。アンテナ群３０は、図５で例示するように、ｎ行ｍ列のｎ×ｍ個のアンテナ３０（Ｘ１，Ｙ１），・・・，３０（Ｘｍ，Ｙ１），３０（Ｘ１，Ｙ２），・・・，３０（Ｘｍ，Ｙ２），・・・，３０（Ｘ１，Ｙｎ），・・・，３０（Ｘｍ，Ｙｎ）でなる。アンテナ群３０は、非接触カード６０に記録された識別情報を非接触で読み取ることで、非接触カード６０の近接を検知する複数の通信手段の一例である。各通信手段は、少なくとも識別情報の読み取りのために配設されている。
【００４２】
以下、これらのアンテナ３０（Ｘ１，Ｙ１），・・・のうち不特定のアンテナを指すときは符号３０ＸＹを使用する。各アンテナ３０ＸＹには、上述のごとく位置する座標に基づく符号が付与されており、各アンテナ３０ＸＹそれぞれが一つの通信手段の一例に該当する。そして、ｎ×ｍ個のアンテナ３０ＸＹは、表示装置１０の表示画面（この例ではＬＣＤパネル１１の表示画面）の背後（背面）の所定の位置に、マトリクス状に配設されているものとする。
【００４３】
複数の通信手段をマトリクス状に配置するなど、表示画面平面の横方向及び縦方向の座標（ＸＹ座標）を検知可能に配置することで、表示制御手段が、検知された横方向及び縦方向の座標に基づいて特定の表示位置を決定するといった制御が可能となる。なお、このように表示画面平面の横方向及び縦方向の座標として、講演者の位置を検知する検知手段は非接触カード６０に対応する複数の通信手段である形態でなくても、実現できる。例えば、講演者がタッチパネル１２をタッチする位置を講演者の位置として検知してもよい。その際には、このような位置検知と判定する連続タッチ時間を、例えばプレゼンテーション用のファイルのページめくり操作やポインタの移動操作をはじめとする通常の操作であると判定する時間と異ならせるなど、何らかの区別を行っておくとよい。
【００４４】
勿論、アンテナ３０ＸＹの配置はマトリクス状の方が好ましいが、これに限ったものではない。特に、講演者の検知位置に特定の画像の表示方向を合わせない場合には、アンテナ３０ＸＹの通信可能範囲を鑑み少なくとも表示方向が合わせられる数のアンテナ３０ＸＹを設けておけばよい。
【００４５】
また、表示画面の背後とは、最前面に設けた透明パネルの背後やその透明パネル内部も含むものとする。さらに、各アンテナ３０ＸＹは、表示画面の背後に限らず、表示装置１０の所定の位置にそれぞれ配設されていればよく、表示画面のさらに前側（表側）に設けてもよい。例えば、表示画面の表側にガラスを設けて、そのガラス上に透明の導電性部材でアンテナ３０ＸＹを形成してもよい。また、アンテナ３０ＸＹは、表示画面ではなく、マルチプルビュー方向表示装置１１のフレームに設けておいてもよい。
【００４６】
さらに、この検知手段のうち、セレクタ３１、通信ユニット３２、ＣＰＵ１５は、複数のアンテナ３０ＸＹを制御して、非接触カード６０との通信を制御する。この通信制御では、複数のアンテナ３０ＸＹのいずれかに非接触カード６０が近接されたときに、その非接触カード６０からの識別情報の読み取りを行い、必要に応じて、その非接触カード６０との間で他情報の通信を行うように、その非接触カード６０が近接されたアンテナ３０ＸＹを制御する。より具体的には、セレクタ３１は、複数のアンテナ３０ＸＹからの入出力を時分割で切り替えて、１つの通信ユニット３２に複数のアンテナ３０ＸＹを接続する。通信ユニット３２は、アンテナ３０ＸＹを介して非接触カード６０との通信を行う。さらに、通信ユニット３２はＣＰＵ１５に接続されており、ＣＰＵ１５に識別情報や他情報を渡すことが可能となっている。なお、通信ユニット３２でＣＰＵ１５経由で他情報を受け取ることを可能に構成してもよい。
【００４７】
図５の構成例での処理を簡単に説明すると、ＣＰＵ１５が、識別情報の読み取りを行ったアンテナ３０ＸＹの配設位置に応じて特定の画像の表示方向（視野方向）と表示座標を決定し、決定した表示方向のビューとなるように且つ決定した表示座標でその特定の画像の表示を行う指示を、ＬＣＤコントローラ１４に出力する。これにより、ＬＣＤパネル１１上に、その指示に基づいた視野方向且つ表示位置で特定の画像が表示される。
【００４８】
ここで、講演者は、立ち位置から画面の中央方向に顔が向いていると考えられる。従って、表示画面の幅方向中心部を境にして、左側のアンテナ（ｍ＝１００、ｎ＝５０とすると、例えばアンテナ３０（Ｘ１，Ｙ１）〜３０（Ｘ５０，Ｙ５０））で非接触カード６０との通信がなされた場合は左方向（図２のＡ画面の方向）に手元資料画像４２を表示し、右側のアンテナ（アンテナ３０（Ｘ５１，Ｙ１）〜３０（Ｘ１００，Ｙ５０））で非接触カード６０との通信がなされた場合は右方向（図２のＣ画面の方向）に手元資料画像４２を表示するように制御すればよい。また、検知したアンテナ３０ＸＹの位置から所定距離離れた位置を表示位置として決定することが好ましい。その理由は、図４のように、非接触カード６０を例えば胸ポケットに入れていた場合、胸ポケットと目の位置との差分を修正するためである。
【００４９】
また、ＣＰＵ１５側に渡す他情報は、特定の画像の元となるファイル、又は特定の画像の元となるファイルの格納場所（ＨＤＤ１６やファイルサーバなどにおける格納場所）を示す情報であることが好ましい。つまり、表示制御手段は、非接触カード６０に記憶されているファイル又はファイルの格納場所を示す情報をアンテナ３０ＸＹのいずれかによって読み取り、読み取られたファイルをＨＤＤ１６に記憶してそのファイルの画像を、若しくは読み取られた格納場所を示す情報から得たファイルの画像を、特定の画像として表示する制御を行うことが好ましい。勿論、ＨＤＤ１６（又はメモリ１３）には、ＣＰＵ１５で実行可能なように、少なくともそのファイルをオープンするためのアプリケーションが実行可能に組み込まれている。
【００５０】
なお、ここでは非接触カード６０がアンテナ３０ＸＹに近接したときに、アンテナ３０ＸＹからの電波に応じて識別情報を返信することを前提としている。しかし、カード側のアンテナから自発的に識別情報を送信するように非接触カード６０を構成し、アンテナ３０ＸＹもそれに対応させてもよい。
【００５１】
次に、非接触カード６０の構成例について図６を参照しながら説明する。非接触カード６０は、無線通信手段を配設してなる非接触方式の電子カード（例えばＩＣカード）である。無線通信手段としては、無線通信可能なＩＣタグなどを組み込んでおけばよい。
【００５２】
カード側アンテナ６１は、アンテナ群３０のいずれかのアンテナ３０ＸＹと電磁波で通信を行う。カード側ＣＰＵ６２は、カード側アンテナ６１で受信した電磁波を供給電力として動作し、カード側メモリ６３に記憶された情報をアンテナ群３０のいずれかのアンテナ３０ＸＹに送信する。カード側メモリ６３には、この情報として、識別情報６３ａが少なくとも格納され、好ましくは手元資料のファイル６３ｂ又は手元資料のファイル名６３ｃのように他情報も格納しておくとよい。識別情報６３ａは、非接触カード６０を所持するユーザに対して一対一に付与されるＩＤ情報である。ファイル名６３ｃは、そのファイルの記憶されている位置、すなわちフォルダ名及びファイル名（そのフォルダがＨＤＤ１６内にないものであれば例えばファイルサーバ名）を示す。なお、カード側メモリ６３にはアンテナ群３０からの情報を記憶することも可能である。
【００５３】
また、このような構成の非接触カード６０をｎ×ｍ個のうちいずれかのアンテナ３０ＸＹの正当な位置に近づけたときに、２以上のアンテナ３０ＸＹで同時に検知（検出）することを避けるべきであり、換言すると、ｎ×ｍ個の各アンテナ３０ＸＹはこのような位置に配置しておけばよい。また、画面の各領域において同じ設置密度となるように、均一に各アンテナ３０ＸＹを配置することが好ましい。
【００５４】
上述のごとく非接触カード６０及び通信手段を採用することで、識別情報を得て講演者である操作ユーザが正規のユーザであるかの判定も実行できる。正規の非接触カードでなければ識別情報が得られないため、その後の処理を実行しなければよく、また正規のフォーマットの識別情報でなかった場合にもその後の処理を実行しなければよい。
【００５５】
また、例えばこの会議の講演者が正しいかなど、識別情報を用いて正式な認証を実行する構成とすることもできる。認証を実行するためには、上述の制御装置は、複数の通信手段のいずれかによって識別情報が読み取られたときに、その読み取られた識別情報を認証する認証手段を備えておけばよい。認証用のデータ（認証情報と呼ぶ）を例えばユーザ認証用にユーザ情報テーブル（利用者情報テーブル）などとしてメモリ１３又はＨＤＤ１６に格納しておき、ＣＰＵ１５が読み取られた識別情報との比較を行うとよい。
【００５６】
そして、表示制御手段は、認証手段で認証が成功した場合のみ、特定の画像を表示する制御を行う。つまり、認証情報を読み出し認証に成功した場合にのみ特定の画像情報を表示するような処理が可能となる。例えば、通信ユニット３２が、複数のアンテナ３０ＸＹのいずれかを介して識別情報が入力されると、ＣＰＵ１５にその識別情報を渡し、ＣＰＵ１５が特定の認証情報と一致するか否かを判定し、一致する場合にのみＬＣＤコントローラ１４に対して視野方向（及び表示位置）を指定した特定の画像の表示指示を出力するとよい。また、非接触カード６０との他情報（ファイル又はファイル名）の通信も、一致する場合のみ許可するよう制御するとよい。一方、認証に失敗した場合、ＣＰＵ１５はその近接させた操作を無視するか、或いは認証が失敗して操作できない旨をＬＣＤパネル１１に表示させるなどしてもよい。
【００５７】
なお、この認証手段は、識別情報の読み取りを行ったアンテナ３０ＸＹに依らず共通の認証方式を用いて認証処理を実行するものとする。すなわち、この認証手段における認証処理は、各通信手段（ここではアンテナ３０ＸＹ）に対して共通の手段で実行されることとなる。
【００５８】
図７は、図５の表示システムで実行される処理例を説明するためのフロー図である。まず、通信ユニット３２で、いずれかのアンテナ３０ＸＹで非接触カード６０からの電波が受信されるのを待つ（ステップＳ１）。いずれかのアンテナ３０ＸＹから電波を受信したとき（ステップＳ１でＹＥＳとなったとき）、通信ユニット３２は非接触カード６０に記憶されている識別情報６３ａを読み出してＣＰＵ１５に渡す（ステップＳ２）。
【００５９】
続いて、ＣＰＵ１５が、識別情報６３ａの読み取りを行ったアンテナ３０ＸＹの配設位置を特定する（ステップＳ３）。続いて、ＣＰＵ１５が、通信ユニット３２からいずれのアンテナ３０ＸＹでも非接触カード６０からの電波を受信していないか否かを判定する（ステップＳ４）。すなわち、非接触カード６０が画面から離されて非接触カード６０を検出しなくなったか否かを判定する。ステップＳ４でＮＯの場合には、ステップＳ３の処理を再度行い、アンテナ座標を再特定する。ここで、ステップＳ４の判定は、時間を制限して行うとよく、制限した時間が到来すればステップＳ４でＹＥＳとし、ステップＳ５へ進むとよい。
【００６０】
このようにしてアンテナ座標を特定した後、ＣＰＵ１５は、この識別情報６３ａがユーザ情報テーブルに記憶されているユーザ情報のいずれかと一致するか否かを判定（照合）することで、このプレゼンテーションの講演者か否かのユーザ認証を行う（ステップＳ５）。ステップＳ５において、非接触カード６０に記憶されている識別情報６３ａがユーザ情報のいずれとも一致しなかった場合には、ＣＰＵ１５がＬＣＤコントローラ１４を制御し、ユーザ認証失敗としてエラー表示（警告表示）を行い（ステップＳ６）、ステップＳ１に戻り、次の操作を待つ。
【００６１】
一方、ステップＳ５で一致したと判定された場合、ＣＰＵ１５は、表示対象として指定されているプレゼンテーション用ファイル（例えば図４の手元資料画像４２の元となるファイル）をＨＤＤ１６から読み出す（ステップＳ７）。ステップＳ７では、続いて非接触カード６０を検知したとしてステップＳ３で最終的に特定したアンテナ３０ＸＹの座標に基づき、手元資料画像４２の視野方向及び表示位置を設定し、その手元資料画像４２を表示するよう、ＬＣＤコントローラ１４に出力する（ステップＳ７）。続いて、ＬＣＤコントローラ１４がＬＣＤパネル１１を制御してその手元資料画像４２をその視野方向でその表示位置に表示する（ステップＳ８）。これにより、通信がされたアンテナ３０ＸＹの位置の近傍で且つ講演者が視認できる視野方向で手元資料画像４２の表示を行うことができる。なお、ステップＳ５の判定は、ステップＳ２の直後に実行し、ステップＳ４でＹＥＳの場合にステップＳ７へ進むようにしてもよい。ステップＳ８の後、ステップＳ１に戻り次の検知を待つが、所定の終了操作がなされるまでこの処理を繰り返せばよい。
【００６２】
以上、図１〜図７を参照して説明した例では、マルチプルビュー方向表示装置１１としてトリプルビュー方向表示装置を挙げたが、４方向以上で異なる画像を表示可能な表示装置であっても、検知した講演者の位置に対し特定の表示方向（及び特定の表示位置）を予め関連付けておけば、同様に適用できる。ここで、トリプルビューの場合には左右の２方向の中から特定の表示方向を選択すればよい旨を説明したが、例えば４方向以上のビューの場合にも、最左方向と最右方向とから特定の表示方向を選択するなど、予め決めておけばよい。また、２方向で異なる画像を表示可能な表示装置、つまりデュアルビュー方向表示装置を適用した場合にも、講演者と観客との位置関係に基づき、その表示装置の設置位置と設置方向（設置する際に画面の正面方向をどちらに向けるかを示す方向）とを調節することで、同様の表示制御が有益になる。
【００６３】
図８は、本発明の他の実施形態に係る情報処理装置（表示システム）の一例を示す外観図で、図９は、図８の表示システムにおいて実行される処理例を説明するためのフロー図である。
【００６４】
図８で例示する表示システムは、検知手段として、マルチプルビュー方向表示装置１１の幅方向（横方向）に焦電センサ７０を複数配設してなる。焦電センサ７０は、人体からの赤外線を検出するために並べられており、図８で例示するようにフレームに設けられることが好ましい。
【００６５】
この表示システムの処理例を挙げると、まず焦電センサ７０で人体検出を行い（ステップＳ１１）、検出されたらその検出位置に応じて人物位置を特定（判定）し（ステップＳ１２）、人物位置に応じて視野方向（及び表示位置）を設定し（ステップＳ１３）、その設定に基づき手元資料画像の表示を行う（ステップＳ１４）。そして、終了操作を待ち（ステップＳ１５）、終了操作を受け付けた時点で処理を終了する。なお、ステップＳ１５でＮＯの場合にステップＳ１１へ移行してもよい。
【００６６】
その他の構成、好適な応用例、詳細な処理については、図１〜図７で説明したものと基本的に同様である。例えば、表示制御手段が、検知された講演者の位置が表示画面の左右いずれの領域に位置するかに応じて特定の表示方向を選択するようにしてもよいし、表示制御手段に表示位置補正手段を設けてもよい。但し、表示制御手段が、焦電センサ７０で検出した人体の位置座標に基づいて視野方向を決めるだけでなく表示位置も決めて表示制御する形態においては、高さは検出できない。従って、表示制御手段は、縦方向には所定の設定位置（所定のＹ座標）に表示し、横方向の表示位置（Ｘ座標）のみを決めて表示制御すればよい。また、非接触カード６０に特有の例、例えば特定の画像の読み出しが図８の例で適用できない。
【００６７】
図１０は、本発明の他の実施形態に係る情報処理装置（表示システム）の一例を示す外観図である。図１０で例示する表示システムは、検知手段として、マルチプルビュー方向表示装置１１を設置する床面に配設された複数のシートスイッチ８１からなる。
【００６８】
複数のシートスイッチ８１はシート８０に長手方向に並べるように配設しておき、講演者がシートスイッチ８１を踏むことにより人体の位置（立ち位置）を検知できる。そして、シート８０をマルチプルビュー方向表示装置１１の幅方向が長手方向となるように床面に敷いておくことで、マルチプルビュー方向表示装置１１の横方向（Ｘ座標方向）の人体の位置（立ち位置）が検知できる。シートスイッチ８１と制御装置とを接続しておくことで、この検知結果に基づき、表示対象となる特定の画像の視野方向（及び表示位置）を特定し、表示することができる。この処理フローは図９と同様であり、その他の構成なども図８と同様である。
【００６９】
以上、図５、図８、及び図１０において検知手段の例を示したが、講演者を検知できればよく、例えばカメラで講演者の位置を検知してもよい。
【図面の簡単な説明】
【００７０】
【図１】本発明の一実施形態に係る情報処理装置（表示システム）の一例を示す外観図である。
【図２】図１の表示システムの利用例を示す図で、表示システムを使用しているシーンを上から見た状態を示す図である。
【図３】図２の利用例において表示される観客用の画面例を示す図である。
【図４】図２の利用例において表示される講演者用の画面例を示す図である。
【図５】図１の表示システムの一構成例を示すブロック図である。
【図６】非接触カードの構成例を示すブロック図である。
【図７】図５の表示システムで実行される処理例を説明するためのフロー図である。
【図８】本発明の他の実施形態に係る情報処理装置（表示システム）の一例を示す外観図である。
【図９】図８の表示システムにおいて実行される処理例を説明するためのフロー図である。
【図１０】本発明の他の実施形態に係る情報処理装置（表示システム）の一例を示す外観図である。
【符号の説明】
【００７１】
１０…表示装置、１１…表示手段（マルチプルビュー方向表示装置、ＬＣＤパネル）、１２…タッチパネル、１３…メモリ、１４…ＬＣＤコントローラ、１５…ＣＰＵ、１６…ＨＤＤ、１７…ＮＩＣ、２０…台座、３０…アンテナ群、３１…セレクタ、３２…通信ユニット、６０…非接触カード、６１…カード側アンテナ、６２…カード側ＣＰＵ、６３…カード側メモリ。
【図１】
2009169352.tif 000003
【図２】
2009169352.tif 000004
【図３】
2009169352.tif 000005
【図４】
2009169352.tif 000006
【図５】
2009169352.tif 000007
【図６】
2009169352.tif 000008
【図７】
2009169352.tif 000009
【図８】
2009169352.tif 000010
【図９】
2009169352.tif 000011
【図１０】
2009169352.tif 000012